(57)【特許請求の範囲】
【請求項１】
シート体の発泡体内に埋設され、底壁部と、該底壁部の左右端部から起立する左右の側壁部と、前記底壁部の前後端部から起立する前壁部および後壁部と、を有し、上方が開放された収納ボックスを備えたシート構造において、
前記底壁部の上面に立設されて左右方向に沿って延びるリブ部を備え、
前記収納ボックスは、前記各壁部と前記リブ部が弾性材料により一体成形され、
前記リブ部の左右両端部が前記左右の側壁部から離間して設置され、
前記リブ部の高さが前記収納ボックスの深さの半分よりも低いことを特徴とするシート構造。
【請求項２】
前記収納ボックスの前記リブ部は、上方に湾曲して左右方向に円弧形状をなす円弧部を有することを特徴とする請求項１に記載のシート構造。
【請求項３】
前記収納ボックスの前記後壁部は、後方に湾曲していることを特徴とする請求項２に記載のシート構造。
【発明の詳細な説明】
【技術分野】
【０００１】
この発明は、シート構造に関するものである。
【背景技術】
【０００２】
車両のシートのアームレストに、小物入れとして利用可能な収納ボックスを設けることが知られており、簡易的な収納ボックスでは上方が開放されている（例えば、特許文献１参照）。
【先行技術文献】
【特許文献】
【０００３】
【特許文献１】特開２００３−１２５８９２号公報
【発明の概要】
【発明が解決しようとする課題】
【０００４】
従来、この種の収納ボックスでは、内部底面が平坦面に形成されているため、この収納ボックスに例えば携帯電話などを立てかけようとしても、携帯電話の底部が収納ボックスの内部底面を滑って携帯電話が寝てしまい、立てかけることが困難であった。
【０００５】
そこで、この発明は、物を立てかけた状態に収容することが容易にできる収納ボックスを備えたシート構造を提供するものである。
【課題を解決するための手段】
【０００６】
この発明に係るシート構造では、上記課題を解決するために以下の手段を採用した。
請求項１に係る発明は、シート体（例えば、後述する実施例におけるアームレスト５）の発泡体内に埋設され、底壁部（例えば、後述する実施例における底壁部１１）と、該底壁部の左右端部から起立する左右の側壁部（例えば、後述する実施例における側壁部１２，１３）と、前記底壁部の前後端部から起立する前壁部（例えば、後述する実施例における前壁部１４）および後壁部（例えば、後述する実施例における後壁部１５）と、を有し、上方が開放された収納ボックス（例えば、後述する実施例における収納ボックス１０）を備えたシート構造において、前記底壁部の上面に立設されて左右方向に沿って延びるリブ部（例えば、後述する実施例におけるリブ部１８）を備え、前記収納ボックスは、前記各壁部と前記リブ部が弾性材料により一体成形され、前記リブ部の左右両端部が前記左右の側壁部から離間して設置され、前記リブ部の高さが前記収納ボックスの深さの半分よりも低いことを特徴とするシート構造である。
【０００７】
請求項２に係る発明は、請求項１に記載の発明において、前記収納ボックスの前記リブ部は、上方に湾曲して左右方向に円弧形状をなす円弧部を有することを特徴とする。
請求項３に係る発明は、請求項２に記載の発明において、前記収納ボックスの前記後壁部は、後方に湾曲していることを特徴とする。
【発明の効果】
【０００８】
請求項１に係る発明によれば、収納ボックスに収納される物の底部をリブ部に係止させることにより、該物をリブ部と前壁部との間に斜めに立てかけることができる。また、リブ部が左右の側壁部に連結されていないので、左右の側壁部間の剛性を、リブ部を有さない場合と同等にすることができる。また、収納ボックスよりも若干大きい物であっても、収納ボックスの各壁部を弾性変形させることにより収納することができ、使い勝手が向上する。
請求項２に係る発明によれば、リブ部の上に物を載せた場合に収まりを悪くすることができ、これによりカップホルダと区別することができる。
請求項３に係る発明によれば、収まりの悪い物を収容した場合であって、その物が後方に倒れたときに、後壁部の中央部で受け止めることができる。
【図面の簡単な説明】
【０００９】
【図１】この発明に係るシート構造を採用した車両用シートの外観斜視図である。
【図２】前記シートのアームレストの外観斜視図である。
【図３】前記アームレストに設けられる収納ボックスの外観斜視図である。
【図４】前記アームレストの縦断面図である。
【図５】収納ボックスに該収納ボックスよりも若干大きい物を収納したときの状態を示す模式断面図である。
【発明を実施するための形態】
【００１０】
以下、この発明に係るシート構造の実施例を図１から図５の図面を参照して説明する。なお、以下の説明における前後方向および左右方向は、車両の前後方向および左右方向（車幅方向）と一致するものとする。
【００１１】
図１は、右ハンドル仕様の車両に搭載されるドライバーズシート１の外観斜視図であり、このシート１は、シートクッション２、シートバック３、ヘッドレスト４、アームレスト５、脚部６等を主要構成としている。
【００１２】
シート１は、脚部６を介して車両の車体骨格部材に取り付けられており、脚部６の上部にシートクッション２が前後方向にスライド可能に支持されている。シートバック３はシートクッション２に対して前後方向に傾転可能に取り付けられている。ヘッドレスト４は、シートバック３の上部に昇降可能に取り付けられている。アームレスト５は、シートバック３において隣接するパッセンジャシート（図示せず）側の側部に上下方向に回転可能に取り付けられている。この実施例において、シートクッション２、シートバック３、アームレスト５は、シート体を構成する。
【００１３】
図４に示すように、アームレスト５は、内部に金属製の断面コ字形のフレーム７を備え、フレーム７の全体を発泡体８で包囲し、発泡体８の外周を例えばファブリックからなる表皮９で覆って構成されている。
このアームレスト５の上面の前端近傍であってフレーム７の上部には、収納ボックス１０が設けられている。
【００１４】
収納ボックス１０はエラストマー系の樹脂（弾性材料）で一体成形されており、軟質で柔軟性に富んでいる。
収納ボックス１０は、上部を開放させた箱形をなし、底壁部１１と、底壁部１１の左右端部から起立する左右の側壁部１２，１３と、底壁部１１の前端部および後端部から起立する前壁部１４および後壁部１５と、これら壁部１２，１３，１４，１５の上縁から外方へ張り出すフランジ部１６と、フランジ部１６の先端から下方内向きに屈曲して延びる折り返し部１７と、底壁部１１の上面から起立し上方に突出するリブ部１８と、を備えている。
【００１５】
底壁部１１はリブ部１８を除いて平坦面に形成されており、左右の側壁部１２，１３および前壁部１４も平坦面に形成されている。一方、後壁部１５は左右両端から中央に進むにしたがって後方側に突出する後方に凸の湾曲面に形成されている。また、前壁部１４および後壁部１５と左右の側壁部１２，１３とは、円弧面１９によって滑らかに接続されている。
【００１６】
リブ部１８は、底壁部１１において前後方向の略中央に配置され、左右方向に沿って延びている。リブ部１８の左右両端と左右の側壁部１２，１３の下端との間にはそれぞれ隙間２０が形成されている。換言すると、リブ部１８の左右両端部は左右の側壁部１２，１３から離間して設置されている。
リブ部１８は、上方に湾曲した左右方向に円弧形状をなしている。すなわち、リブ部１８は円弧部を有している。
【００１７】
この収納ボックス１０は、上部を開放し、フランジ部１６を露出させて、発泡体８内に埋設されており、折り返し部１７が表皮９の縁部と縫い合わされ、収納ボックス１０と表皮９との間は発泡体８で満たされている。
【００１８】
このように構成された収納ボックス１０を備えたシート１においては、図２に示すように、例えば携帯電話５０などを収納ボックス１０に立てかけることが可能となる。詳述すると、携帯電話５０の底部をリブ部１８の前側に位置させることで、携帯電話５０の底部をリブ部１８に係止させることができ、携帯電話５０の背部を前壁部１４の上縁に当接させることで、携帯電話５０を運転者から見て後傾姿勢に立てかけることができる。つまり、携帯電話５０をリブ部１８と前壁部１４との間に斜めに立てかけることができる。
【００１９】
一方、ジュースなどが入った缶などを収納ボックス１０に入れたときには、平坦な缶の底面を湾曲形状のリブ１８の上に載せたときに缶が不安定となり収まりが悪くなることで、使用者にこの収納ボックス１０がカップホルダではないことを認識させることができる。
また、後壁部１５が後方に湾曲しているので、上述のように収納ボックス１０に缶などを収納し、不安定状態の缶などが後方に傾いたときに、この缶などを後壁部１５の左右方向の中央で受け止めることができる。
【００２０】
また、収納ボックス１０が弾性材料で形成されていて柔らかいことと、リブ部１８の左右両端部は左右の側壁部１２，１３から離間して設置されていることから、この収納ボックス１０の左右方向の内のりよりも若干大きなものを入れようとしたときに、図５に示すように、左右の側壁部１２，１３が弾性変形して外方に広がることにより、収納することが可能となる。ここで、リブ部１８が左右の側壁部１２，１３に連結されていないことにより、左右の側壁部１２，１３間の剛性を、リブ部１８を有さない場合と同等にすることができ、左右の側壁部１２，１３の弾性変形を行い易くする効果がある。したがって、収納ボックス１０の使い勝手が向上する。また、リブ１８がその両端部から千切れないようにすることができる。
【００２１】
〔他の実施例〕
なお、この発明は前述した実施例に限られるものではない。
例えば、前述した実施例では収納ボックスをアームレストに設置したが、収納ボックスをシートクッションの端部に設置することも可能である。
【符号の説明】
【００２２】
１  シート
５  アームレスト（シート体）
１１  底壁部
１２，１３  側壁部
１４  前壁部
１５  後壁部
１８  リブ部
【図１】
0005466666.tif 000002
【図２】
0005466666.tif 000003
【図３】
0005466666.tif 000004
【図４】
0005466666.tif 000005
【図５】
0005466666.tif 000006